(57)【要約】      （修正有）【課題】容易にフライホイールに回転力を付与することができる作動玩具を提供する。【解決手段】玩具体１１の内部にフライホイール１２を配置し、前記フライホイール１２の回転軸１３の先端１５を前記玩具体１１の下端から下方に突出させるとともに、前記玩具体１１の内部に前記フライホイール１２に回転力を付与するための回転力付与機構を設ける。回転力付与機構は、フライホイール１２の回転軸１３に接続されたモータ２１と、このモータ２１を玩具体１１に固定するためのモータ保持具２２と、モータ２１に電力を供給するためのコンデンサ２３と、該コンデンサ２３へ充電を行うための端子２４と、を備えて構成されている。これにより、端子２４を介して外部から電力が供給されると、この端子２４に接続されたコンデンサ２３に充電が行われ、充電された電力を駆動源としてモータ２１が回転し、フライホイール１２を回転させる。【選択図】図２
0003169682.tif 000002
【実用新案登録請求の範囲】
【請求項１】
玩具体の内部にフライホイールを配置し、前記フライホイールの回転軸の先端を前記玩具体の下端から下方に突出させるとともに、前記玩具体の内部に前記フライホイールに回転力を付与するための回転力付与機構を備えたことを特徴とする、作動玩具。
【請求項２】
前記回転力付与機構は、前記フライホイールの回転軸に接続されたモータを備えて構成されることを特徴とする、請求項１記載の作動玩具。
【請求項３】
前記回転力付与機構は、前記モータに電力を供給するためのコンデンサと、該コンデンサへ充電を行うための端子と、を備えていることを特徴とする、請求項２記載の作動玩具。
【請求項４】
前記回転力付与機構は、前記モータに電力を供給するための電池を備えていることを特徴とする、請求項２記載の作動玩具。
【請求項５】
前記回転力付与機構は、外部から挿入したラックベルトの引き抜き動作によって回転力を付与可能なギアを備えて構成されることを特徴とする、請求項１記載の作動玩具。
【請求項６】
前記フライホイールの回転軸の一部がウォームギアで形成されるとともに、前記ウォームギアは他の玩具に動力伝達可能に外部に露出していることを特徴とする、請求項１〜５のいずれかに記載の作動玩具。
【請求項７】
開き方向に揺動可能なアーム部材を前記玩具体の周側面に設けたことを特徴とする、請求項１〜６のいずれかに記載の作動玩具。
【請求項８】
前記アーム部材の先端付近に磁石を設け、他の作動玩具と接続可能としたことを特徴とする、請求項７記載の作動玩具。
【請求項９】
前記玩具体の下端には接地面に接触可能な突起が設けられ、前記突起は前記接地面から離反する退避位置に移動可能であることを特徴とする、請求項１〜８のいずれかに記載の作動玩具。
【考案の詳細な説明】
【技術分野】
【０００１】
この考案は、玩具体の内部にフライホイールを配置した作動玩具に関するものである。
【背景技術】
【０００２】
従来、フライホイールを駆動力とする玩具としてコマ玩具が多数提案され、実際に遊びに供されている。
【０００３】
これに関連する技術として、例えば、特許文献１には、玩具体の内部にフライホイールを配置し、該フライホイールの回転軸の先端を上記玩具体の下端から下方に突出させた作動玩具が開示されている。
【先行技術文献】
【特許文献】
【０００４】
【特許文献１】登録実用新案第３０４８２２６号公報
【考案の概要】
【考案が解決しようとする課題】
【０００５】
しかし、上記した特許文献１記載の作動玩具は、別体の載置台によってフライホイールに回転力を付与するものであったため、取り扱いが面倒であるなどの不都合があった。
【０００６】
そこで、本考案は、容易にフライホイールに回転力を付与することができる作動玩具を提供することを課題とする。
【課題を解決するための手段】
【０００７】
本考案は、上記した課題を解決するためになされたものであり、以下を特徴とする。
【０００８】
（請求項１）
請求項１に記載の考案は、以下の点を特徴とする。
【０００９】
すなわち、請求項１に記載の作動玩具は、玩具体の内部にフライホイールを配置し、前記フライホイールの回転軸の先端を前記玩具体の下端から下方に突出させるとともに、前記玩具体の内部に前記フライホイールに回転力を付与するための回転力付与機構を備えたことを特徴とする。
【００１０】
（請求項２）
請求項２に記載の考案は、上記した請求項１記載の考案の特徴点に加え、以下の点を特徴とする。
【００１１】
すなわち、前記回転力付与機構は、前記フライホイールの回転軸に接続されたモータを備えて構成されることを特徴とする。
【００１２】
（請求項３）
請求項３に記載の考案は、上記した請求項２記載の考案の特徴点に加え、以下の点を特徴とする。
【００１３】
すなわち、前記回転力付与機構は、前記モータに電力を供給するためのコンデンサと、該コンデンサへ充電を行うための端子と、を備えていることを特徴とする。
【００１４】
（請求項４）
請求項４に記載の考案は、上記した請求項２記載の考案の特徴点に加え、以下の点を特徴とする。
【００１５】
すなわち、前記回転力付与機構は、前記モータに電力を供給するための電池を備えていることを特徴とする。
【００１６】
（請求項５）
請求項５に記載の考案は、上記した請求項１記載の考案の特徴点に加え、以下の点を特徴とする。
【００１７】
すなわち、前記回転力付与機構は、外部から挿入したラックベルトの引き抜き動作によって回転力を付与可能なギアを備えて構成されることを特徴とする。
【００１８】
（請求項６）
請求項６に記載の考案は、上記した請求項１〜５のいずれかに記載の考案の特徴点に加え、以下の点を特徴とする。
【００１９】
すなわち、前記フライホイールの回転軸の一部がウォームギアで形成されるとともに、前記ウォームギアは他の玩具に動力伝達可能に外部に露出していることを特徴とする。
【００２０】
（請求項７）
請求項７に記載の考案は、上記した請求項１〜６のいずれかに記載の考案の特徴点に加え、以下の点を特徴とする。
【００２１】
すなわち、開き方向に揺動可能なアーム部材を前記玩具体の周側面に設けたことを特徴とする。
【００２２】
（請求項８）
請求項８に記載の考案は、上記した請求項７記載の考案の特徴点に加え、以下の点を特徴とする。
【００２３】
すなわち、前記アーム部材の先端付近に磁石を設け、他の作動玩具と接続可能としたことを特徴とする。
【００２４】
（請求項９）
請求項９に記載の考案は、上記した請求項１〜８のいずれかに記載の考案の特徴点に加え、以下の点を特徴とする。
【００２５】
すなわち、前記玩具体の下端には接地面に接触可能な突起が設けられ、前記突起は前記接地面から離反する退避位置に移動可能であることを特徴とする。
【考案の効果】
【００２６】
請求項１に記載の考案は上記の通りであり、玩具体の内部にフライホイールに回転力を付与するための回転力付与機構を備えているため、容易にフライホイールに回転力を付与することができ、取り扱い易い作動玩具を提供することができる。
【００２７】
また、請求項２に記載の考案は上記の通りであり、前記回転力付与機構は、前記フライホイールの回転軸に接続されたモータを備えて構成されている。このため、モータによってフライホイールを回転させることができるので、回転力が持続し、遊ぶ時間を長くすることができる。
【００２８】
また、請求項３に記載の考案は上記の通りであり、前記回転力付与機構は、前記モータに電力を供給するためのコンデンサと、該コンデンサへ充電を行うための端子と、を備えている。このため、充電器などに接続するだけで容易に充電ができ、遊ぶための準備を完了することができる。
【００２９】
また、請求項４に記載の考案は上記の通りであり、前記回転力付与機構は、前記モータに電力を供給するための電池を備えている。このため、電池がなくなるまで遊ぶことができる。
【００３０】
また、請求項５に記載の考案は上記の通りであり、前記回転力付与機構は、外部から挿入したラックベルトの引き抜き動作によって回転力を付与可能なギアを備えて構成される。このため、モータを備えない場合でもラックベルトによってダイレクトに回転力を付与することができる。
【００３１】
また、請求項６に記載の考案は上記の通りであり、前記フライホイールの回転軸の一部がウォームギアで形成されるとともに、前記ウォームギアは他の玩具に動力伝達可能に外部に露出している。このため、このウォームギアに噛合するギアを有する他の玩具を用意することで、この他の玩具にフライホイールの回転力を伝達し、他の玩具を作動させることもできる。
【００３２】
また、請求項７に記載の考案は上記の通りであり、開き方向に揺動可能なアーム部材を前記玩具体の周側面に設けた。このため、作動玩具が作動したときの遠心力でアーム部材を揺動させることができ、面白みのある作動玩具を提供できる。
【００３３】
また、請求項８に記載の考案は上記の通りであり、前記アーム部材の先端付近に磁石を設け、他の作動玩具と接続可能とした。このため、複数の作動玩具を連結させて遊ぶことができる。また、接続が磁石によるものであるため、作動玩具の作動中に互いに連結したり連結が解除されたりするような動きも可能となり、特徴的な動きをする作動玩具を提供できる。
【００３４】
また、請求項９に記載の考案は上記の通りであり、前記玩具体の下端には接地面に接触可能な突起が設けられ、前記突起は前記接地面から離反する退避位置に移動可能である。このため、作動玩具の作動中に突起が接地面に接触することで不規則な動きをさせることができるとともに、不規則な動きを望まない場合には突起を退避位置に移動させて接地面に接触しないようにすることもできる。例えば、複数の作動玩具を連結させて遊ぶときに不規則な動きをすると接続がすぐに解除されてしまうため、このような場合には突起を退避位置に移動させる、などの遊び方をすることができる。
【図面の簡単な説明】
【００３５】
【図１】作動玩具の外観図である。
【図２】作動玩具の分解図である。
【図３】作動玩具を底面側から見た外観図である。
【図４】作動玩具を充電器にセットする様子を示す図であって、（ａ）セット前の図、（ｂ）セット後の図である。
【図５】作動玩具が回転する様子を示す説明図である。
【図６】複数の作動玩具が接続して回転する様子を示す説明図である。
【図７】作動玩具を背面側から見た外観図である。
【図８】作動玩具を車玩具に取り付ける様子を示す説明図である。
【図９】第１の変形例に係る作動玩具の分解図である。
【図１０】第１の変形例に係る作動玩具の外観図である。
【図１１】第２の変形例に係る作動玩具の分解図である。
【考案を実施するための形態】
【００３６】
本考案の実施形態について、図を参照しつつ説明する。
【００３７】
本実施形態に係る作動玩具１０は、図１に示すように、人形の形象をした玩具であり、玩具体１１の内部に配置されたフライホイール１２が回転したときのジャイロ効果によって直立した姿勢で作動できるようにしたものである。
【００３８】
この作動玩具１０は、上記した玩具体１１と、フライホイール１２と、玩具体１１の内部に配置されてフライホイール１２に回転力を付与する回転力付与機構２０と、玩具体１１の左右の腕の位置にピン３１を介して揺動可能に取り付けられたアーム部材３０と、を備えている。
【００３９】
フライホイール１２は、図２に示すように、玩具体１１の腰位置辺りに格納されており、外観上はスカート部１１ａを構成する位置に格納されている。このフライホイール１２の回転軸１３は、玩具体１１の下端から下方に突出しており、この突出した回転軸１３の先端１５が接地して回転するようになっている。
【００４０】
このフライホイール１２に回転力を付与する回転力付与機構２０は、図２に示すように、フライホイール１２の回転軸１３に接続されたモータ２１と、このモータ２１を玩具体１１に固定するためのモータ保持具２２と、モータ２１に電力を供給するためのコンデンサ２３と、該コンデンサ２３へ充電を行うための端子２４と、を備えて構成されている。
【００４１】
これにより、端子２４を介して外部から電力が供給されると、この端子２４に接続されたコンデンサ２３に充電が行われ、このコンデンサ２３に充電された電力を駆動源としてモータ２１が回転し、フライホイール１２を回動させることができるように形成されている。
【００４２】
コンデンサ２３への充電は図４に示すような充電器４０で行われる。この充電器４０は、中央の挿入溝４１に作動玩具１０の脚部１１ｃを差し込むことで、作動玩具１０をセットして充電ができるようになっており、挿入溝４１の両側の縁部には、プラス極及びマイナス極の２つの電極４２が上方に向けて露出している。この電極４２は、充電器４０の内部に格納された電池と接続されており、作動玩具１０の端子２４が接触することで、作動玩具１０のコンデンサ２３に充電できるようになっている。
【００４３】
作動玩具１０の端子２４は、図３に示すように、プラス極側とマイナス極側との２つの端子２４が、それぞれ玩具体１１のスカート部１１ａの裏側に露出している。このため、図４に示すように、鍔上に広がったスカート部１１ａを挿入溝４１の縁に引っ掛けるように充電器４０に作動玩具１０を差し込むと、充電器４０の電極４２と作動玩具１０の端子２４とが接触し、充電が開始されるようになっている。
【００４４】
なお、電極４２と端子２４との接触を確実とするため、作動玩具１０の端子２４の近傍には係合部１１ｂ（図３参照）が突出形成されており、また、充電器４０の電極４２の近傍には窪み４３（図４参照）が陥没形成されている。これにより、係合部１１ｂを窪み４３に係合させることで、電極４２と端子２４とを位置決めして確実に接触させることができるようになっている。
【００４５】
このように作動玩具１０の充電を行うと、コンデンサ２３の放電が完了するまでモータ２１がフライホイール１２を回転させ、作動玩具１０を作動させることができる。
【００４６】
ところで、玩具体１１の下端には接地面に接触可能な突起１１ｅが設けられている。この突起１１ｅは、回転軸１３の下端とほぼ等しく下方に突出しているため、作動玩具１０がジャイロ効果により直立して作動しているときに、ときおり接地面に接触するようになっている。この突起１１ｅを設けたことにより、作動玩具１０の作動中にこの突起１１ｅが接地面に接触すると、突起１１ｅを中心として作動玩具１０が公転し、不規則な動きとなり、面白みのある作動をするように形成されている。
【００４７】
なお、このように突起１１ｅを中心として作動玩具１０が公転しつつ作動すると、図５に示すように、遠心力によってアーム部材３０が開き方向に揺動し、腕を広げたような状態となる。
【００４８】
更には、このアーム部材３０の先端付近には磁石３２が埋め込まれており、この磁石３２が引っ付くことによって、図６に示すように、作動玩具Ａを他の作動玩具Ｂと接続可能となっている。このように２つの作動玩具１０が接続された状態で２つの作動玩具１０が作動すると、２つの作動玩具１０の中間点を中心に２つの作動玩具１０が公転する。
【００４９】
なお、アーム部材３０の先端付近は図１に示すように玩具体１１の外周方向に突出しており（手の部分）、この外周方向に突出したアーム部材３０の先端付近に磁石３２が内蔵されている。すなわち、磁石３２は他の作動玩具１０と接触し易い位置に設けられている。このため、磁石３２による接続は、遊ぶ人が繋げなくても、作動中の作動玩具１０が勝手に接近し、アーム部材３０の先端が触れ合うことで自動的に接続されるようになっている。また、接続されている作動玩具１０も、作動中の動きによって接続が離れることがある。このため、複数の作動玩具１０を同時に作動させると、互いに接続したり離れたりを繰り返しながら作動し、面白みのある動きをするようになっている。
【００５０】
また、この作動玩具１０は、他の玩具に動力を伝達することで、他の玩具と組み合せて遊ぶことができるようになっている。すなわち、図２に示すように、フライホイール１２の回転軸１３の一部がウォームギア１４で形成されており、このウォームギア１４が、図７に示すように、玩具体１１の脚部１１ｃの裏側に開口するウォームギア窓１１ｄから外部に露出しているため、このウォームギア窓１１ｄから露出したウォームギア１４を他の玩具の歯車に噛合させることで、他の玩具に動力を伝達可能となっている。
【００５１】
作動玩具１０と組み合わせて遊ぶ他の玩具としては、例えば、図８に示すような車玩具５０が考えられる。
【００５２】
この車玩具５０は、中央に差し込み部５２が上方に向けて開口しており、作動玩具１０の脚部１１ｃを差し込めるように形成されている。なお、差し込み部５２に脚部１１ｃを差し込むと、スカート部１１ａが差し込み部５２の縁に引っ掛かるようになっており、作動玩具１０が車玩具５０に乗り込んだ形となる。
【００５３】
差し込み部５２の内側には被噛合ギア５１が設けられており、作動玩具１０の脚部１１ｃを差し込んだときにウォームギア１４と噛合するようになっている。このため、作動玩具１０のフライホイール１２が回転してウォームギア１４が回転すると、その回転力が被噛合ギア５１に伝達される。特に図示しないが、この被噛合ギア５１が回転すると、これに連動して車玩具５０が作動するようになっており、作動玩具１０の駆動力で車玩具５０を作動させることができる。
【００５４】
以上説明したように、本実施形態によれば、玩具体１１の内部にフライホイール１２に回転力を付与するための回転力付与機構２０を備えているため、容易にフライホイール１２に回転力を付与することができ、取り扱い易い作動玩具１０を提供することができる。
【００５５】
また、前記回転力付与機構２０は、前記フライホイール１２の回転軸１３に接続されたモータ２１を備えて構成されている。このため、モータ２１によってフライホイール１２を回転させることができるので、回転力が持続し、遊ぶ時間を長くすることができる。
【００５６】
また、前記回転力付与機構２０は、前記モータ２１に電力を供給するためのコンデンサ２３と、該コンデンサ２３へ充電を行うための端子２４と、を備えている。このため、充電器４０などに接続するだけで容易に充電ができ、遊ぶための準備を完了することができる。
【００５７】
また、前記フライホイール１２の回転軸１３の一部がウォームギア１４で形成されるとともに、前記ウォームギア１４は他の玩具５０に動力伝達可能に外部に露出している。このため、このウォームギア１４に噛合するギア５１を有する他の玩具５０を用意することで、この他の玩具５０にフライホイール１２の回転力を伝達し、他の玩具５０を作動させることもできる。
【００５８】
また、開き方向に揺動可能なアーム部材３０を前記玩具体１１の周側面に設けた。このため、作動玩具１０が作動したときの遠心力でアーム部材３０を揺動させることができ、面白みのある作動玩具１０を提供できる。
【００５９】
また、前記アーム部材３０の先端付近に磁石３２を設け、他の作動玩具１０と接続可能とした。このため、複数の作動玩具１０を連結させて遊ぶことができる。また、接続が磁石３２によるものであるため、作動玩具１０の作動中に互いに連結したり連結が解除されたりするような動きも可能となり、特徴的な動きをする作動玩具１０を提供できる。
【００６０】
なお、上記説明においては特に述べなかったが、玩具体１１の下端に設けられた突起１１ｅを接地面から離反する退避位置に移動可能としてもよい。すなわち、突起１１ｅを鉛直方向に進退可能とし、作動中に接地面に接触可能な位置まで下方に移動させることができるとともに、作動中に接地面に接触不可能な位置まで上方に移動させることができるようにしてもよい。このように形成すれば、作動玩具１０の作動中に突起１１ｅが接地面に接触することで不規則な動きをさせることができるとともに、不規則な動きを望まない場合には突起１１ｅを退避位置に移動させて接地面に接触しないようにすることもできる。例えば、複数の作動玩具１０を連結させて遊ぶときに不規則な動きをすると接続がすぐに解除されてしまうため、このような場合には突起１１ｅを退避位置に移動させる、などの遊び方をすることができる。
【００６１】
（第１の変形例）
次に、本実施形態に係る第１の変形例について説明する。
【００６２】
この第１の変形例は、上記した実施形態に係る回転力付与機構２０のコンデンサ２３に代えて、電池２５を備えた点を特徴とするものである。
【００６３】
すなわち、図９に示すように、この変形例に係る回転力付与機構２０はコンデンサ２３を備えておらず、代わりに電池２５とこの電池２５を格納するための電池収容部２６とを備えている。これにより、充電器４０による充電を行わなくても、電池２５からの供給電力でモータ２１が回転し、作動玩具１０を作動させることができる。
【００６４】
このように、回転力付与機構２０として、モータ２１に電力を供給するための電池２５を備えるようにすれば、電池２５の容量がなくなるまで遊ぶことができる。
【００６５】
なお、特に図示しないが、電池２５からモータ２１への電力供給をＯＮ／ＯＦＦするためのスイッチを設けるのが望ましい。
【００６６】
（第２の変形例）
次に、本実施形態に係る第２の変形例について説明する。
【００６７】
この第２の変形例は、図１０に示すように、外部から挿入したラックベルト６０の引き抜き動作によって回転力を付与する点を特徴とするものである。
【００６８】
すなわち、図１１に示すように、この変形例に係る回転力付与機構２０は、モータ２１やコンデンサ２３を備えておらず、代わりにラックベルト６０のラックギア６１と噛合可能なギア２７を備えている。このギア２７は、フライホイール１２の回転軸１３と同軸に設けられている。フライホイール１２の回転軸１３は、上部が軸支持部材２８により回転自在に支持されており、ラックベルト６０によってギア２７に回転力が付与されると、ギア２７と一体的に回転するように形成されている。このため、外部から挿入したラックベルト６０を引き抜き動作すると、フライホイール１２が回転し、作動玩具１０を作動させることができる。
【００６９】
このように、前記回転力付与機構２０として、外部から挿入したラックベルト６０の引き抜き動作によって回転力を付与可能なギア２７を備えるようにすれば、モータ２１を備えない場合でもラックベルト６０によってダイレクトに回転力を付与することができる。
【符号の説明】
【００７０】
１０  作動玩具
１１  玩具体
１１ａ  スカート部
１１ｂ  係合部
１１ｃ  脚部
１１ｄ  ウォームギア窓
１１ｅ  突起
１２  フライホイール
１３  回転軸
１４  ウォームギア
１５  先端
２０  回転力付与機構
２１  モータ
２２  モータ保持具
２３  コンデンサ
２４  端子
２５  電池
２６  電池収容部
２７  ギア
２８  軸支持部材
３０  アーム部材
３１  ピン
３２  磁石
４０  充電器
４１  挿入溝
４２  電極
４３  窪み
５０  車玩具
５１  被噛合ギア
５２  差し込み部
６０  ラックベルト
６１  ラックギア
【図１】
0003169682.tif 000003
【図２】
0003169682.tif 000004
【図３】
0003169682.tif 000005
【図４】
0003169682.tif 000006
【図５】
0003169682.tif 000007
【図６】
0003169682.tif 000008
【図７】
0003169682.tif 000009
【図８】
0003169682.tif 000010
【図９】
0003169682.tif 000011
【図１０】
0003169682.tif 000012
【図１１】
0003169682.tif 000013